(57)【要約】【課題】糸切れによる緯入れミスの発生を充分に抑制することができるエアジェット織機における緯入れ制御方法を提供する。【解決手段】緯入れ用ノズルからエアを噴射して緯糸を緯入れするエアジェット織機における緯入れ制御方法であって、緯入れする前の緯糸の状態を検出するステップＳ１と、検出した緯糸の状態に基づいて、該緯糸を所定の緯入れ条件に従って緯入れしたときに該緯糸が所定の位置に到達する緯糸到達タイミングを予測するステップＳ２と、緯糸到達タイミングのバラツキに対して早め限界値を予め設定しておき、予測した緯糸到達タイミングが早め限界値よりも早い場合に、実際の緯糸到達タイミングが早め限界値よりも遅くなるように緯入れ条件を変更するステップＳ３，Ｓ４と、変更した緯入れ条件に従って緯入れ用ノズルからエアを噴射することにより、緯糸を緯入れするステップＳ５と、を含む。【選択図】図２
2019196556.tif 000002
【特許請求の範囲】
【請求項１】
緯入れ用のノズルからエアを噴射して緯糸を緯入れするエアジェット織機における緯入れ制御方法であって、
緯入れする前の緯糸の状態を検出するステップと、
前記検出した緯糸の状態に基づいて、該緯糸を所定の緯入れ条件に従って緯入れしたときに該緯糸が所定の位置に到達する緯糸到達タイミングを予測するステップと、
前記緯糸到達タイミングのバラツキに対して早め限界値を予め設定しておき、前記予測した緯糸到達タイミングが前記早め限界値よりも早い場合に、実際の緯糸到達タイミングが前記早め限界値よりも遅くなるように前記緯入れ条件を変更するステップと、
前記変更した緯入れ条件に従って前記緯入れ用のノズルからエアを噴射することにより、前記緯糸を緯入れするステップと、
を含むエアジェット織機における緯入れ制御方法。
【請求項２】
前記検出した緯糸の状態に応じて前記早め限界値を変更する
請求項１に記載のエアジェット織機における緯入れ制御方法。
【請求項３】
前記緯入れ用のノズルはメインノズルを含み、
前記予測した緯糸到達タイミングが前記早め限界値よりも早い場合に、前記緯入れ条件として前記メインノズルのエア噴射開度を変更する
請求項１または２に記載のエアジェット織機における緯入れ制御方法。
【請求項４】
前記緯入れ用のノズルはタンデムノズルを含み、
前記予測した緯糸到達タイミングが前記早め限界値よりも早い場合に、前記緯入れ条件として前記タンデムノズルのエア噴射開始タイミングを変更する
請求項１〜３のいずれか一項に記載のエアジェット織機における緯入れ制御方法。
【発明の詳細な説明】
【技術分野】
【０００１】
本発明は、エアジェット織機における緯入れ制御方法に関する。
【背景技術】
【０００２】
圧縮エアを利用して緯糸を緯入れするエアジェット織機に関して、たとえば特許文献１には、通常より細い緯糸が緯入れされる場合に、より小さい噴射圧を使用することにより、糸切れによる緯入れミスを防止する技術が記載されている。また、同文献には、緯糸が通常よりも細い場合に、主ノズル又は／及び補助ノズルの噴射時間を短くすることが記載されている。
【先行技術文献】
【特許文献】
【０００３】
【特許文献１】特公昭６１−２５８１７号公報
【発明の概要】
【発明が解決しようとする課題】
【０００４】
特許文献１に記載の技術では、緯入れに使用する緯糸の太さだけに着目して噴射圧等を変更している。しかしながら、糸切れのし易さは、緯糸の太さだけでなく、たとえば、糸の撚り数など他の要因も考えられる。このため、特許文献１に記載の技術では、糸切れによる緯入れミスの発生を充分に抑えることができないおそれがある。
【０００５】
本発明は、上記課題を解決するためになされたもので、その目的は、糸切れによる緯入れミスの発生を充分に抑制することができるエアジェット織機における緯入れ制御方法を提供することにある。
【課題を解決するための手段】
【０００６】
本発明は、緯入れ用のノズルからエアを噴射して緯糸を緯入れするエアジェット織機における緯入れ制御方法であって、緯入れする前の緯糸の状態を検出するステップと、前記検出した緯糸の状態に基づいて、該緯糸を所定の緯入れ条件に従って緯入れしたときに該緯糸が所定の位置に到達する緯糸到達タイミングを予測するステップと、前記緯糸到達タイミングのバラツキに対して早め限界値を予め設定しておき、前記予測した緯糸到達タイミングが前記早め限界値よりも早い場合に、実際の緯糸到達タイミングが前記早め限界値よりも遅くなるように前記緯入れ条件を変更するステップと、前記変更した緯入れ条件に従って前記緯入れ用のノズルからエアを噴射することにより、前記緯糸を緯入れするステップと、を含む。
【０００７】
本発明のエアジェット織機における緯入れ制御方法では、前記検出した緯糸の状態に応じて前記早め限界値を変更してもよい。
【０００８】
本発明のエアジェット織機における緯入れ制御方法において、前記緯入れ用のノズルはメインノズルを含み、前記予測した緯糸到達タイミングが前記早め限界値よりも早い場合に、前記緯入れ条件として前記メインノズルのエア噴射開度を変更してもよい。
【０００９】
本発明のエアジェット織機における緯入れ制御方法において、前記緯入れ用のノズルはタンデムノズルを含み、前記予測した緯糸到達タイミングが前記早め限界値よりも早い場合に、前記緯入れ条件として前記タンデムノズルのエア噴射開始タイミングを変更してもよい。
【発明の効果】
【００１０】
本発明によれば、エアジェット織機で緯糸を緯入れする際に、糸切れによる緯入れミスの発生を充分に抑制することができる。
【図面の簡単な説明】
【００１１】
【図１】本発明の実施形態に係るエアジェット織機における緯入れ装置の構成例を示す概略図である。
【図２】本発明の実施形態に係るエアジェット織機における緯入れ制御方法を示すフローチャートである。
【図３】本発明を適用しない場合の緯糸到達タイミングのバラツキを説明する図である。
【図４】本発明を適用した場合の緯糸到達タイミングのバラツキを説明する図である。
【発明を実施するための形態】
【００１２】
以下、本発明の実施形態について図面を参照して詳細に説明する。
【００１３】
＜エアジェット織機における緯入れ装置の構成＞
図１は、本発明の実施形態に係るエアジェット織機における緯入れ装置の構成例を示す概略図である。
緯入れ装置１は、緯糸チーズ２と、緯糸状態検出装置３と、緯糸貯留装置４と、緯糸張力補正装置５と、メインノズル６と、タンデムノズル７と、サブノズル８と、筬打ち用の筬９と、緯糸フィーラ１０と、を備えている。また、緯入れ装置１は、メインバルブ１２と、タンデムバルブ１４と、メインタンク１６と、レギュレータ１８と、サブバルブ２２と、サブタンク２３と、レギュレータ２４と、制御装置３１と、ファンクションパネル３２と、を備えている。
【００１４】
緯糸チーズ２は、緯入れに使用する緯糸１１を緯糸貯留装置４に供給する給糸部として機能するものである。緯糸状態検出装置３は、緯糸チーズ２から供給される緯糸１１の状態を検出するものである。緯糸状態検出装置３の検出結果である緯糸１１の状態は、制御装置３１に通知される。
【００１５】
緯糸状態検出装置３は、緯糸搬送方向において、緯糸チーズ２と緯糸貯留装置４との間に配置されている。緯入れは、緯糸搬送方向において、緯糸貯留装置４よりも下流側で行われる。これに対し、緯糸状態検出装置３は、緯糸貯留装置４よりも上流側に配置されている。このため、緯糸状態検出装置３は、緯入れ前の緯糸１１の状態を検出することになる。
【００１６】
緯糸状態検出装置３が検出する緯糸１１の状態には、少なくとも、緯糸の単位長さあたりの質量（以下、「緯糸質量」という。）が含まれる。この糸状態は、エアの噴射によって緯糸を飛走させて緯入れする際に緯糸の飛走に影響を与える。緯糸状態検出装置３としては、たとえば、特表２０１４−５００９１４号公報に開示されている装置を挙げることができる。
【００１７】
緯糸貯留装置４は、緯入れ前の緯糸を貯留するものである。緯糸貯留装置４は、測長ドラム１５と、係止ピン１７と、を有する。緯糸貯留装置４は、緯糸チーズ２から緯糸貯留装置４へと供給される緯糸１１を測長ドラム１５に巻き付けて貯留する。
【００１８】
係止ピン１７は、緯入れに使用する緯糸１１を係止可能なピンである。係止ピン１７は、電磁ソレノイド１９の駆動により、測長ドラム１５の外周面に対して接近または離間する方向に動作する。電磁ソレノイド１９の駆動は制御装置３１が制御する。係止ピン１７は、測長ドラム１５の外周面に接近する方向に動作することで、測長ドラム１５の外周面と係止ピン１７の先端部との間に緯糸１１を把持する。また、係止ピン１７は、測長ドラム１５の外周面から離間する方向に動作することで、緯糸１１の把持を解除する。測長ドラム１５の近傍にはバルーンセンサ２０が配置されている。バルーンセンサ２０は、係止ピン１７の解除によって測長ドラム１５から引き出される緯糸１１のバルーンを検出し、その検出結果を電気信号として制御装置３１に出力するセンサである。
【００１９】
緯糸張力補正装置５は、緯糸１１に過大な張力が加わらないよう、緯糸１１に加わる張力を補正する装置である。
【００２０】
メインノズル６、タンデムノズル７およびサブノズル８は、それぞれ緯入れ用のノズルとして設けられたものである。メインノズル６は、タンデムノズル７よりも緯糸搬送方向の下流側に配置され、サブノズル８は、メインノズル６よりも緯糸搬送方向の下流側に配置されている。メインノズル６およびタンデムノズル７は、それぞれ１つずつ設けられ、サブノズル８は、複数設けられている。
【００２１】
メインノズル６は、メインバルブ１２を介してメインタンク１６に接続され、タンデムバルブ１４は、タンデムバルブ１４を介してメインタンク１６に接続されている。また、メインタンク１６にはレギュレータ１８が接続されている。レギュレータ１８は、図示しないエアコンプレッサで生成された圧縮エアの圧力を調整するものである。メインタンク１６は、レギュレータ１８によって圧力が調整された圧縮エアを貯留するものである。メインタンク１６に貯留された圧縮エアは、メインバルブ１２を介してメインノズル６に供給されるとともに、タンデムバルブ１４を介してタンデムノズル７に供給される。
【００２２】
メインノズル６は、メインバルブ１２の開閉状態に応じてエアを噴射または停止するものである。タンデムノズル７は、タンデムバルブ１４の開閉状態に応じてエアを噴射または停止するものである。具体的には、メインノズル６は、メインバルブ１２が開状態のときにエアを噴射し、メインバルブ１２が閉状態のときにエアの噴射を停止する。同様に、タンデムノズル７は、タンデムバルブ１４が開状態のときにエアを噴射し、タンデムバルブ１４が閉状態のときにエアの噴射を停止する。メインバルブ１２とタンデムバルブ１４は、それぞれ制御装置３１に電気的に接続されている。制御装置３１は、メインバルブ１２の開閉状態とタンデムバルブ１４の開閉状態をそれぞれ個別に制御する。
【００２３】
複数のサブノズル８は、緯糸搬送方向に所定の間隔をあけて配置されている。各々のサブノズル８は、メインノズル６とタンデムノズル７からのエア噴射によって送り出される緯糸１１を、筬９の長手方向に沿って搬送する。筬９は、緯糸１１が１ピック緯入れされるたびに１回ずつ筬打ち動作する。メインノズル６と筬９との間にはカッター２１が配置されている。カッター２１は、１本の緯糸１１を緯入れするごと、すなわち１ピックごとに、緯糸１１を切断する。カッター２１の駆動は制御装置３１によって制御される。
【００２４】
複数のサブノズル８は、筬９の長手方向で隣り合う４つのサブノズル８を１つの組として、合計６組設けられている。なお、サブノズル８の組数は織幅によって異なる。各組のサブノズル８は、それぞれに対応する１つのサブバルブ２２を介してサブタンク２３に接続されている。また、サブタンク２３にはレギュレータ２４が接続されている。レギュレータ２４は、図示しないエアコンプレッサで生成された圧縮エアの圧力を調整するものである。サブタンク２３は、レギュレータ２４によって圧力が調整された圧縮エアを貯留するものである。メインタンク１６に貯留された圧縮エアは、各々のサブバルブ２２を介して各組のサブノズル８に分配して供給される。
【００２５】
各組のサブノズル８は、それぞれに対応するサブバルブ２２の開閉状態に応じてエアを噴射または停止する。具体的には、各組のサブノズル８は、それぞれに対応するサブバルブ２２が開状態のときにエアを噴射し、サブバルブ２２が閉状態のときにエアの噴射を停止する。
【００２６】
緯糸フィーラ１０は、メインノズル６、タンデムノズル７およびサブノズル８からそれぞれエアを噴射して緯糸１１を緯入れする際に、その緯糸１１が予め設定された所定の位置に到達したか否かを検知するものである。所定の位置は、筬９の長手方向において、メインノズル６から遠い側となる緯入れ終端側に、織布の織幅に合わせて設定される。
【００２７】
緯糸フィーラ１０は、たとえば光学式センサによって構成される。緯糸フィーラ１０は、緯入れ用のノズル６，７，８からのエア噴射によって筬９の長手方向に搬送される緯糸１１の先端部が所定の位置に到達したときに検知信号を出力する。したがって、緯糸１１が所定の位置に到達する緯糸到達タイミングは、緯糸フィーラ１０が検知信号を出力したタイミングとなる。
【００２８】
制御装置３１は、緯入れ装置１の動作を制御するものである。制御装置３１は、たとえば、中央演算処理装置、ＲＯＭ(Read-Only Memory)、ＲＡＭ(Random Access Memory)等によって構成される。制御装置３１は、緯糸１１の緯入れをフィードフォワード制御によって行う。制御装置３１によるフィードフォワード制御の詳細については後段で詳しく説明する。
【００２９】
ファンクションパネル３２は、緯入れに必要な各種のデータの入出力装置として制御装置３１に接続されている。ファンクションパネル３２は、たとえば、図示しない表示装置と入力キーを備えている。表示装置には、緯糸１１の緯入れを制御装置３１がフィードフォワード制御によって行うための設定画面が表示される。緯入れに使用する緯糸１１の種類は、表示装置に設定画面を表示した状態のもとで、オペレータのキー操作により入力される。なお、ファンクションパネル３２を用いて入力されるデータは、緯糸１１の種類のみに限らず、他のデータ、たとえば織布の織幅や目標緯糸到達タイミングなどの緯入れ設定値を指定するデータも含まれる。
【００３０】
＜エアジェット織機における緯入れ制御方法＞
次に、本発明の実施形態に係るエアジェット織機における緯入れ制御方法について図２のフローチャートを用いて説明する。なお、図２に示す緯入れ制御方法は１ピックごとに繰り返し適用されるものである。
【００３１】
（ステップ１）
まず、ステップＳ１においては、緯入れする前の緯糸１１の状態を検出する。
緯入れに使用する緯糸１１は、緯糸チーズ２から緯糸貯留装置４へと供給され、この供給経路の途中で緯糸１１の状態を緯糸状態検出装置３が検出する。緯糸状態検出装置３で検出された緯糸１１の状態は制御装置３１に通知される。これにより、制御装置３１は、緯入れする前の緯糸１１の状態を認識することができる。本実施形態では一例として、緯糸質量を緯糸状態検出装置３が検出し、この検出結果を制御装置３１に出力するものとする。
【００３２】
（ステップＳ２）
次に、ステップＳ２においては、先のステップＳ１で検出した緯糸１１の状態に基づいて、その緯糸１１を所定の緯入れ条件に従って緯入れしたときに、その緯糸１１が所定の位置に到達する緯糸到達タイミングを予測する。緯糸到達タイミングの予測は制御装置３１が行う。
【００３３】
制御装置３１のメモリには、緯糸１１の材質、番手などで特定される緯糸１１の種類ごとに所定の緯入れ条件が予め登録されている。このため、制御装置３１の中央演算処理装置は、緯入れに使用する緯糸１１の種類に対応してメモリに登録されている緯入れ条件を読み出し、この緯入れ条件を適用して緯糸到達タイミングを予測する。緯入れ条件には、メインタンク１６の圧力、サブタンク２３の圧力、メインノズル６およびサブノズル８のエア噴射開度、タンデムノズル７のエア噴射開度、メインノズル６およびサブノズル８のエア噴射開始タイミング、タンデムノズル７のエア噴射開始タイミングなどが含まれる。
【００３４】
ここで、制御装置３１が予測する緯糸到達タイミングをＴＷｐとすると、制御装置３１は、緯糸状態検出装置３が検出した緯糸１１の状態に基づいて、緯糸到達タイミングＴＷｐを予測する。本実施形態では、緯糸状態検出装置３が緯糸質量を検出する。その場合、制御装置３１は、緯糸質量に応じて緯糸到達タイミングＴＷｐを予測する。以下、具体例を説明する。
【００３５】
制御装置３１は、緯糸状態検出装置３が検出した緯糸質量が基準質量よりも大きい場合は、基準となる緯糸到達タイミングＴＷｒよりも緯糸到達タイミングＴＷｐが遅くなると予測する。また、制御装置３１は、緯糸状態検出装置３が検出した緯糸質量が基準質量よりも小さい場合は、基準となる緯糸到達タイミングＴＷｒよりも緯糸到達タイミングＴＷｐが早くなると予測する。このとき、基準となる緯糸到達タイミングＴＷｒと、制御装置３１が予測する緯糸到達タイミングＴＷｐとの差は、緯糸質量と基準質量との差によって決まる。言い換えると、緯糸質量と基準質量との差が大きいほど、緯糸到達タイミングＴＷｒと緯糸到達タイミングＴＷｐとの差が大きくなる。
【００３６】
なお、上述した緯糸の基準質量は、緯糸１１の種類に応じて予め設定されるとともに、制御装置３１のメモリ（たとえば、ＲＡＭ）に予めデータとして記憶される。そして、緯糸到達タイミングＴＷｐを予測するときに、制御装置３１の中央演算処理装置がメモリから読み出して使用する。
【００３７】
（ステップＳ３）
次に、ステップＳ３においては、先のステップＳ２で予測した緯糸到達タイミングＴＷｐが、予め設定された早め限界値ＴＷｆよりも早いかどうかを判断する。この判断は制御装置３１が行う。早め限界値ＴＷｆは、緯糸到達タイミングのバラツキに対して予め設定される限界値である。
【００３８】
ここで、緯糸到達タイミングのバラツキに対して早め限界値ＴＷｆがどのように設定されるのかについて説明する。
まず、ファンクションパネル３２を用いて指定された緯糸１１の種類を、これに対応して制御装置３１のメモリに登録されている緯入れ条件で緯入れする場合は、同じ種類の緯糸１１を同じ緯入れ条件で緯入れしても、緯糸１１の飛走には進み遅れが生じる。このため、同じ種類の緯糸１１を、たとえば数千ピックほど同じ緯入れ条件で緯入れすると、実際に緯糸フィーラ１０によって検知される緯糸到達タイミングは、図３に示すように、基準となる緯糸到達タイミングＴＷｒを中心値とした正規分布に近いバラツキをもつ。
【００３９】
図３において、縦軸は筬の長手方向位置、横軸は機台角度を示し、緯糸の先端部の移動を移動特性線Ｌで表している。図３から分かるように、緯糸の緯入れは機台角度が９０°〜２４０°の範囲で行われている。また、緯糸到達タイミングは、機台角度が２４０°となるタイミングを中心にばらついている。機台角度が２４０°となるタイミングは、所定の緯入れ条件で緯糸を緯入れするときに目標とする緯糸到達タイミング、すなわち、基準となる緯糸到達タイミングＴＷｒに相当する。
【００４０】
本発明の実施形態においては、図３に示す緯糸到達タイミングのバラツキのうち、機台角度＝２４０°に相当する緯糸到達タイミングＴＷｒよりも早い方のバラツキに対して早め限界値ＴＷｆを設定している。早め限界値ＴＷｆは、基準となる緯糸到達タイミングＴＷｒよりも早いタイミングで緯糸が所定の位置に到達したときに生じる可能性がある緯入れミスの発生状況に応じて設定される。
【００４１】
緯入れミスの発生状況は、実際にどの程度の割合で緯入れミスが発生するかを示すものである。緯入れミスの発生状況は、緯糸１１の種類ごとに、予め実験等によって確認することができる。そこで、実験等によって得られたデータから、たとえば、緯糸到達タイミングのバラツキを表す正規分布において、糸切れによって緯入れミスが発生しやすい分布領域Ｅを特定する。そして、この分布領域Ｅを含まない最小の機台角度または該最小の機台角度に所定量の安全角度（たとえば、２°程度）を加算した機台角度に対応するタイミングを早め限界値ＴＷｆに設定する。この場合、早め限界値ＴＷｆは、緯入れに使用される緯糸１１の太さのみに応じて単純に設定されるわけではなく、糸切れのし易さに影響を与える他の要因、たとえば、緯糸１１の撚り数なども加味して設定されることになる。
【００４２】
また、基準となる緯糸到達タイミングＴＷｒよりも早いタイミングで緯糸が所定の位置に到達したときに生じる可能性がある緯入れミスの発生状況は、緯糸１１の種類に大きく依存するものの、それ以外にも、緯糸１１の状態によって若干変わる場合がある。このため、制御装置３１は、上記ステップＳ１で検出した緯糸１１の状態に応じて早め限界値ＴＷｆを変更してもよい。また、早め限界値ＴＷｆは、緯糸１１の状態に応じて１ピックごとに変更してもよいし、複数ピックごとに変更してもよい。このように緯糸１１の状態に応じて早め限界値ＴＷｆを変更することにより、その時々の緯糸１１の状態に適した早め限界値ＴＷｆを適用してステップＳ３の処理を行うことができる。
【００４３】
ステップＳ３において、制御装置３１は、このように設定される早め限界値ＴＷｆと、先のステップＳ２で予測した緯糸到達タイミングＴＷｐとの比較により、緯糸到達タイミングＴＷｐが早め限界値ＴＷｆよりも早いかどうかを判断する。そして、制御装置３１は、ステップＳ３でＹｅｓと判断した場合はステップＳ４に進み、Ｎｏと判断した場合はステップＳ５に移行する。
【００４４】
（ステップＳ４）
次に、ステップＳ４においては、実際の緯糸到達タイミングが早め限界値ＴＷｆよりも遅くなるように緯入れ条件を変更する。緯入れ条件の変更は制御装置３１が行う。制御装置３１によって変更可能な緯入れ条件は複数存在する。ただし、フィードフォワード制御では緯入れ条件を変更した際に直ちに変更後の条件で緯入れ可能な高い応答性が要求される。これに対し、メインタンク１６の圧力やサブタンク２３の圧力は、その圧力設定値を変更しても、圧力調整弁のアクチュエータの応答性が遅いため、実際のタンク圧力が変更後の圧力で安定するまでに時間がかかる。このため、ステップＳ４で変更の対象となる緯入れ条件には、メインタンク１６の圧力やサブタンク２３の圧力は適さない。本実施形態では、ステップＳ４で変更の対象とする緯入れ条件の好ましい例として、メインノズル６のエア噴射開度、および、タンデムノズル７のエア噴射開始タイミングを挙げる。メインノズル６のエア噴射開度、および、タンデムノズル７のエア噴射開始タイミングは、いずれか一方のみを変更してもよいし、両方を同時に変更してもよい。以下に具体的な変更の仕方について説明する。
【００４５】
まず、メインノズル６のエア噴射開度を変更する場合について説明する。
メインノズル６のエア噴射開度は、１ピックの緯入れに際して、メインノズル６のエア噴射を開始してから終了するまでの時間で規定され、この時間が長いほどエア噴射開度が大きくなる。また、メインノズル６のエア噴射開度は、制御装置３１がメインバルブ１２の開閉状態を制御することにより調整される。そこで、制御装置３１は、先のステップＳ２で予測した緯糸到達タイミングＴＷｐが早め限界値ＴＷｆよりも早い場合は、緯入れ条件を変更する前に比べてメインノズル６のエア噴射開度が小さくなるように、メインノズル６のエア噴射開度を変更する。
【００４６】
メインノズル６のエア噴射開度が小さくなると、筬９の長手方向に緯糸１１を搬送するときの搬送速度が遅くなる。このため、制御装置３１では、実際の緯糸到達タイミングが早め限界値ＴＷｆよりも遅くなるように、メインノズル６のエア噴射開度を所定の割合だけ小さくする。メインノズル６のエア噴射開度をどの程度の割合で小さくするかは、たとえば、メインノズル６のエア噴射開度と緯糸到達タイミングとの関係を予め実験等によって確認しておき、これによって得られたデータを用いて決定すればよい。また、メインノズル６のエア噴射開度を変更する場合は、実際の緯糸到達タイミングが、基準となる緯糸到達タイミングＴＷｒに一致するように変更することが好ましい。
【００４７】
次に、タンデムノズル７のエア噴射開始タイミングを変更する場合について説明する。
メインノズル６およびタンデムノズル７からのエア噴射によって緯糸１１を緯入れする場合は、先にメインノズル６からエアを噴射し、その後でタンデムノズル７からエアを噴射することにより、緯糸１１を加速させる。その場合、タンデムノズル７のエア噴射開始タイミングは、メインノズル６のエア噴射開始タイミングを基準に設定される。たとえば、メインノズル６のエア噴射開始タイミングが機台角度＝θｍに相当するタイミングであると仮定すると、タンデムノズル７のエア噴射開始タイミングは機台角度＝θｍ＋αに相当するタイミングに設定される。
【００４８】
タンデムノズル７のエア噴射開始タイミングは、制御装置３１がタンデムバルブ１４を閉状態から開状態に切り換えるタイミングを制御することにより調整される。そこで、制御装置３１は、先のステップＳ２で予測した緯糸到達タイミングＴＷｐが早め限界値ＴＷｆよりも早い場合は、緯入れ条件を変更する前に比べてタンデムノズル７のエア噴射開始タイミングが遅くなるように、タンデムノズル７のエア噴射開始タイミングを変更する。
【００４９】
タンデムノズル７のエア噴射開始タイミングが遅くなると、筬９の長手方向に緯糸１１を搬送するときの搬送速度が遅くなる。このため、制御装置３１では、実際の緯糸到達タイミングが早め限界値ＴＷｆよりも遅くなるように、タンデムノズル７のエア噴射開始タイミングを所定量だけ遅くする。タンデムノズル７のエア噴射開始タイミングをどの程度の割合で遅くするかは、たとえば、タンデムノズル７のエア噴射開始タイミングと緯糸到達タイミングとの関係を予め実験等によって確認しておき、これによって得られたデータを用いて決定すればよい。また、タンデムノズル７のエア噴射タイミングを変更する場合は、実際の緯糸到達タイミングが、基準となる緯糸到達タイミングに一致するように変更することが好ましい。
【００５０】
（ステップＳ５）
次に、ステップＳ５においては、制御装置３１がメインバルブ１２、タンデムバルブ１４およびサブバルブ２２の開閉状態をそれぞれ制御することにより、メインノズル６、タンデムノズル７およびサブノズル８からのエア噴射によって緯糸１１を緯入れする。その際、制御装置３１は、先のステップＳ３でＹｓｅと判断した場合は、ステップＳ４で変更した緯入れ条件に従って各々のバルブ１２，１４，２２の開閉状態を制御することにより緯糸１１を緯入れする。また、制御装置３１は、先のステップＳ３でＮｏと判断した場合は、ステップＳ４で変更する前の緯入れ条件に従って各々のバルブ１２，１４，２２の開閉状態を制御することにより緯糸１１を緯入れする。
【００５１】
＜実施形態の効果＞
本発明の実施形態に係るエアジェット織機における緯入れ制御方法を採用すれば、実際に緯入れされる緯糸１１の緯糸到達タイミングは、図４に示すように、糸切れによって緯入れミスが発生しやすい分布領域Ｅ（図３参照）を含まないバラツキ分布となる。これにより、緯糸フィーラ１０が緯糸１１の到達を検知するタイミング、すなわち実際の緯糸到達タイミングが、早め限界値ＴＷｆよりも早くなることはなくなる。このため、エアジェット織機で緯糸１１を緯入れする際に、糸切れによる緯入れミスの発生を充分に抑制することが可能となる。
【００５２】
＜変形例等＞
本発明の技術的範囲は上述した実施形態に限定されるものではなく、発明の構成要件やその組み合わせによって得られる特定の効果を導き出せる範囲において、種々の変更や改良を加えた形態も含む。
【００５３】
たとえば、上記実施形態においては、緯糸状態検出装置３が検出する緯糸１１の状態として、緯糸質量を挙げたが、本発明はこれに限らない。たとえば、緯糸の太さや毛羽立ちなど、緯糸の飛走に影響を与え得る他の糸状態があれば、これを緯糸状態検出装置３によって検出し、制御装置３１による緯入れのフィードバック制御に適用してもよい。
【符号の説明】
【００５４】
１  緯入れ装置、３  緯糸状態検出装置、６  メインノズル、７  タンデムノズル、８  サブノズル、１１  緯糸、３１  制御装置、Ｔｗｆ  早め限界値。
【図１】
2019196556.tif 000003
【図２】
2019196556.tif 000004
【図３】
2019196556.tif 000005
【図４】
2019196556.tif 000006